(57)【要約】【課題】毛髪やごみ等がヘアキャッチャーにこびり付くことを防止でき、ヘアキャッチャーの手入れを簡単に行うことができ、また排水の流れをスムーズにできる排水構造を提供する。【解決手段】排水口２の下方に排水を溜めて封水するトラップ部１９を形成する。上方に開口する容器状のヘアキャッチャー２０を備える。ヘアキャッチャー２０の下部を多数の通水孔２２を形成した通水部２３とする。ヘアキャッチャー２０の上部を非開口の非通水部２４とする。ヘアキャッチャー２０を排水口２に配設する。ヘアキャッチャー２０の通水部２３の全部又は大部分をトラップ部１９内の溜め水２５の水面よりも下方に位置させる。【選択図】図１
2009030330.tif 000002
【特許請求の範囲】
【請求項１】
排水口の下方に排水を溜めて封水するトラップ部を形成し、上方に開口する容器状のヘアキャッチャーを備え、該ヘアキャッチャーの下部を多数の通水孔を形成した通水部とすると共に上部を非開口の非通水部とし、該ヘアキャッチャーを排水口に配設し、該ヘアキャチャーの通水部の全部又は大部分をトラップ部内の溜め水の水面よりも下方に位置させて成ることを特徴とする排水構造。
【請求項２】
ヘアキャッチャーの下部を網状として前記通水部を形成すると共に該通水部の網目を前記通水孔とし、該通水部の下部の網目を上部の網目よりも大きくして成ることを特徴とする請求項１に記載の排水構造。
【発明の詳細な説明】
【技術分野】
【０００１】
本発明はヘアキャッチャーを有する排水構造に関する。
【背景技術】
【０００２】
従来、浴室の洗い場等に形成される排水口には毛髪やごみ等を補足するヘアキャッチャーが配設される。
【０００３】
ところで、洗い場からの排水に含まれるシャンプーやリンス等は粘性の高い液体であるため、ヘアキャッチャーで補足した毛髪やごみ等の補足物に付着しやすいものである。ここで、一般的なヘアキャッチャーは浅底皿状に形成され、その周縁部が排水口の周縁部上に載設されるものであり、毛髪やごみ等が補足される多数の通水孔を形成した部分は通水時を除いて水に接触しない位置に配置される。しかし、このようなヘアキャッチャーにおいて前述のように毛髪やごみ等にシャンプーやリンス等の粘性の高い液体が付着してこれが乾燥した場合には毛髪やゴミ等がヘアキャッチャーにこびり付いてしまい、ヘアキャッチャーの手入れが煩わしくなり、また、この粘着性の高い汚れにより排水のスムーズな流れを妨げる恐れがある。
【０００４】
また、例えば特許文献１には排水口の下方に排水口からの排水を溜めて封水するトラップ部を形成し、排水口に全体に通水孔を形成した容器状のヘアキャッチャーを設け、該ヘアキャッチャーの下端部をトラップ部内の溜め水の水面よりも下方に位置させたものが開示してある。しかし、このヘアキャッチャーにあっては、わずかにヘアキャッチャーの下端部のみを溜め水の水面よりも下方に位置させ、大部分が溜め水の水面よりも上方に位置するものであり、この溜め水の水面よりも上方に位置する部分に形成した通水孔に毛髪やごみ等が付着した場合、上記一般的なヘアキャッチャーと同様の問題が生じる。
【特許文献１】特開２００６−２４２３号公報
【発明の開示】
【発明が解決しようとする課題】
【０００５】
本発明は上記従来の問題点に鑑みて発明したものであって、毛髪やごみ等がヘアキャッチャーにこびり付くことを防止でき、ヘアキャッチャーの手入れを簡単に行うことができ、また排水の流れをスムーズにできる排水構造を提供することを課題とするものである。
【課題を解決するための手段】
【０００６】
上記課題を解決するために本発明に係る排水構造は、排水口２の下方に排水を溜めて封水するトラップ部１９を形成し、上方に開口する容器状のヘアキャッチャー２０を備え、該ヘアキャッチャー２０の下部を多数の通水孔２２を形成した通水部２３とすると共に上部を非開口の非通水部２４とし、該ヘアキャッチャー２０を排水口２に配設し、該ヘアキャッチャー２０の通水部２３の全部又は大部分をトラップ部１９内の溜め水２５の水面よりも下方に位置させて成ることを特徴とする。このようにヘアキャッチャー２０の下部を多数の通水孔２２を形成した通水部２３とすると共に上部を非開口の非通水部２４とすることで、ヘアキャッチャー２０の下部を構成する通水部２３に毛髪やごみ等が溜まりやすくなる。そしてこのヘアキャッチャー２０の通水部２３の全部又は大部分をトラップ部１９内の溜め水２５の水面よりも下方に位置させることで、毛髪等が溜まる通水部２３の全部又は大部分を溜め水２５に浸けることができ、これにより、通水部２３に溜まった毛髪等にシャンプーやリンス等の粘性の高い液体が付着し難くなり、また付着したとしてもこれら粘性の高い液体が乾燥することがない。よって毛髪やごみ等がヘアキャッチャー２０にこびり付くことを防止でき、これによりヘアキャッチャー２０の手入れを簡単に行うことができ、また排水の流れもスムーズになる。
【０００７】
また、請求項２は請求項１において、ヘアキャッチャー２０の下部を網状として前記通水部２３を形成すると共に該通水部２３の網目を前記通水孔２２とし、該通水部２３の下部２３ａの網目を上部２３ｂの網目よりも大きくして成ることを特徴とする。このように通水部２３の下部２３ａの網目を上部２３ｂの網目よりも大きくすることで、毛髪等が通水部２３の上部２３ｂに留まらないようにでき、このため通水部２３の上部２３ｂにおいては開口面積の大きな網目により排水能力を確保できる。
【発明の効果】
【０００８】
請求項１に係る発明では、毛髪等が溜まる通水部の全部を溜め水に浸けることで、通水部に溜まった毛髪等にシャンプーやリンス等の粘性の高い液体が付着し難くなり、また付着したとしてもこれら粘性の高い液体が乾燥することがなく、よって毛髪やごみ等がヘアキャッチャーにこびり付くことを防止でき、これによりヘアキャッチャーの手入れを簡単に行うことができ、また排水の流れもスムーズになる。
【０００９】
また請求項２に係る発明では、請求項１に係る発明の効果に加えて、通水部の下部の網目を上部の網目よりも大きくすることで、毛髪等が通水部の上部に留まらないようにでき、このため通水部の上部においては開口面積の大きな網目により排水能力を確保でき、これにより通水部の網目を小さくした下部に毛髪等が多く溜まった場合に排水能力が著しく低下することを防止できる。
【発明を実施するための最良の形態】
【００１０】
本発明の実施形態の一例の排水構造を以下に示す。図１に示すように本例の排水構造は浴室の洗い場の床１に形成した排水口２から排水を行うものである。
【００１１】
床パン３で構成される洗い場の床１に形成した上方に開口する凹所４の底部には取付口５を形成してあり、取付口５には排水トラップ６を取り付けている。排水トラップ６は、取付口５の下方に配置される容器状のトラップ本体７と、トラップ本体７に取り付けた排水筒８と、トラップ本体７の内側に挿入される封水筒９を備え、排水筒８及び封水筒９の上部で排水口２を構成している。
【００１２】
排水筒８の上端部外周からは上側鍔部１０を突設し、下端部内周からは下側鍔部１１を突設している。排水筒８の下部はトラップ本体７の開口部１２にねじ込んで取り付けてあり、この排水筒８の上側鍔部１０とトラップ本体７の開口部１２の周縁部とで取付口５の周縁部をパッキン１３を介して挟持することで、排水トラップ６を取付口５に水密的に取り付けている。
【００１３】
トラップ本体７の下部には上方に開口する容器状の溜水部１６を形成している。また、トラップ本体７の外周壁部には排出口部１５を設けてあり、排出口部１５には溜水部１６から溢れたトラップ本体７内の水を外部に排出するための排水管１７を接続している。排水筒８の下側鍔部１１上には封水筒９の上端部に周設したフランジ部１８を載置している。封水筒９の下部はトラップ本体７の溜水部１６内に挿入されて溜水部１６内に溜まった排水に浸かり、この封水筒９の下部とトラップ本体７の溜水部１６により排水口２からの排水を溜めて封水する椀型のトラップ部１９を構成している。即ち、本例のトラップ部１９は排水口２に通じる排水用の流路の途中に設けられ、尚且つ排水口２の下方に位置するものである。
【００１４】
上記排水筒８で構成した排水口２にはヘアキャッチャー２０を配設している。ヘアキャッチャー２０は上方に開口する容器状に形成され、ヘアキャッチャー２０の外周縁部を構成する環状部２１を排水筒８内に収納し、この環状部２１を封水筒９のフランジ部１８上に載置してある。つまり、環状部２１は排水筒８の上側鍔部１０からなる排水口２の周縁部上に前記フランジ部１８を介して載置してある。なお、ヘアキャッチャー２０は単に排水口２の周縁部上に載置するだけであっても良いし、また、例えば環状部２１の外周面と排水筒８の内周面の夫々に係止部及び被係止部を設け、係止部と被係止部を係脱自在に係止したり、また、環状部２１の外周面に形成した雄ねじを排水筒８の内周面に形成雌した雌ねじにねじ込む等して、ヘアキャッチャー２０を排水口２に対して着脱自在に取り付けても良い。
【００１５】
図３に示すようにヘアキャッチャー２０は下部を多数の通水孔２２が形成された通水部２３とすると共に上部を前記通水孔２２のような貫通孔が形成されていない非開口の非通水部２４としたものであり、図１に示すヘアキャッチャー２０の設置状態においては非通水部２４の下端部は溜水部１６の上端（即ち溜水部１６に溜めた溜め水２５の水面）と同レベルに位置し、これにより通水部２３はその全体がトラップ部１９を構成する溜水部１６内の溜め水２５の水面よりも下方に位置して溜め水２５に浸かることとなる。
【００１６】
通水部２３の周壁部分２６は下側に行くに従って小径となるよう絞ってあり、該通水部２３はヘアキャッチャー２０の下部全体を網状とすることで形成され、該通水部２３の網目で前記通水孔２２を構成している。即ち、多数の通水孔２２は通水部２３の底部及び周壁２６の全体に亘って形成されている。また、通水部２３はその下部２３ａの網目を上部２３ｂの網目よりも大きくしてある。
【００１７】
非通水部２４はヘアキャッチャー２０の上端開口を構成する円環状の環状部２１と、環状部２１の下端内周縁から下側に突出する周壁２７とからなる。環状部２１の内周面は下方に行くに従って徐々に小径となるよう傾斜した湾曲面２８となっている。非通水部２４の周壁２７は下側に行く程小径となるよう絞ってあり、周壁２７の内周面は内側程下り傾斜したテーパー面２９となっている。
【００１８】
また、ヘアキャッチャー２０の上端部を構成する環状部２１には上方に向けて取手部３０を一体に突設している。取手部３０は環状部２１の対向する２箇所から突出し、各取手部３０は、環状部２１から上方に立ち上げた立上部３１と、立上部３１の上端部からヘアキャッチャー２０の中心と反対側の横方向に向かって突出する摘み部３２とからなり、断面Ｌ字状をしている。図１に示すように各取手部３０の立上部３１は排水筒８の上端よりも上方に突出し、取手部３０の摘み部３２は排水筒８の上側鍔部１０の上方に位置している。このため、排水口２より上方に突出した取手部３０の摘み部３２を指で摘んで上方に引き上げ、これによりヘアキャッチャー２０を簡単且つ清潔に排水口２から取り出せる。なお、図示は省略するが、前述の凹所４には上記排水口２に設けたヘアキャッチャー２０の上方を覆う排水カバーが配置される。
【００１９】
上記排水構造における排水の流れは図２の矢印に示すものとなる。即ち、洗い場の床１を構成する床パン３上の水は凹所４から排水筒８を介して封水筒９内に流入し、次いでヘアキャッチャー２０を通過して封水筒９の下端からトラップ本体７の溜水部１６に流入し、この後、溜水部１６の周壁と封水筒９の間の空間、排出口部１５、排水管１７を経て排出される。そしてこの排水時においては、ヘアキャッチャー２０の上開口から流入した排水は上部から下部へと流れ、下部の多数の通水孔２２を通過して排水がなされるので、このヘアキャッチャー２０にて毛髪を補足できる。
【００２０】
ここで、ヘアキャッチャー２０の上部は非開口の非通水部２４としてあるので、非通水部２４の内面には排水に含まれる毛髪やごみ等が引っ掛かり難くなっている。また、ヘアキャッチャー２０に流入した排水は環状部２１の湾曲面２８及び非通水部２４のテーパー面２９に沿って通水部２３へと案内されるので、この点でも毛髪等が非通水部２４に留まり難くなっている。従って、ヘアキャッチャー２０に流れ込んだ排水に含まれる毛髪等は、図２に示すように通水孔２２を形成した通水部２３の内部に溜まりやすくなり、特に通水部２３において網目を小さくした下部２３ａの底面に多く溜まる。そして、このヘアキャッチャー２０の通水部２３は前述したようにその全部がトラップ部１９に溜めた溜め水２５の水面よりも下方に位置して溜め水２５に浸かっているので、通水部２３の下部２３ａに溜まった毛髪等にシャンプーやリンス等の粘性の高い液体が付着し難く、また付着したとしてもこれら粘性の高い液体が乾燥することがなく、よって毛髪やごみ等がヘアキャッチャー２０にこびり付くことを防止できる。また、通水部２３の上部２３ｂは下部２３ａよりも網目が大きいので毛髪等が上部２３ｂに留まり難く、このため通水部２３の上部２３ｂにおいては開口面積の大きな網目（通水孔２２）により排水能力を確保でき、これにより上記のように通水部２３の網目を小さくした下部２３ａに毛髪等が多く溜まった場合に排水能力が著しく低下することを防止できる。なお、上記通水部２３の全体に形成した網目の大きさは通水部２３の上端（上部２３ｂの上端）から下方に行くに従って徐々に小さくなるようにしても良いし、また、通水部２３の下部２３ａにおける網目の大きさを一定の大きさとすると共に上部２３ｂにおける網目の大きさを一定の大きさとし、且つ通水部２３の下部２３ａの網目を上部２３ｂの網目よりも大きくしても良いものとする。
【００２１】
また、本例では通水部２３の全部をトラップ部１９内の溜め水２５の水面よりも下方に位置させたが、通水部２３の上端部を除く大部分をトラップ部１９内の溜め水２５の水面よりも下方に位置させても良いものとする。
【図面の簡単な説明】
【００２２】
【図１】本発明の排水構造の一例を示す断面図である。
【図２】同上の排水構造における排水の流れを示す説明図である。
【図３】同上のヘアキャッチャーの断面図である。
【符号の説明】
【００２３】
２  排水口
１９  トラップ部
２０  ヘアキャッチャー
２３  通水部
２４  非通水部
２５  溜め水
【図１】
2009030330.tif 000003
【図２】
2009030330.tif 000004
【図３】
2009030330.tif 000005
【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
排水口の下方に排水を溜めて封水するトラップ部を形成し、上方に開口する容器状のヘアキャッチャーを備え、該ヘアキャッチャーの下部を多数の通水孔を形成した通水部とすると共に上部を非開口の非通水部とし、該ヘアキャッチャーを排水口に配設し、該ヘアキャチャーの通水部の全部又は大部分をトラップ部内の溜め水の水面よりも下方に位置させて成ることを特徴とする排水構造。
【請求項２】
ヘアキャッチャーの下部を網状として前記通水部を形成すると共に該通水部の網目を前記通水孔とし、該通水部の上部の網目を下部の網目よりも大きくして成ることを特徴とする請求項１に記載の排水構造。
【手続補正２】
【補正対象書類名】明細書
【補正対象項目名】０００２
【補正方法】変更
【補正の内容】
【０００２】
従来、浴室の洗い場等に形成される排水口には毛髪やごみ等を捕捉するヘアキャッチャーが配設される。
【手続補正３】
【補正対象書類名】明細書
【補正対象項目名】０００３
【補正方法】変更
【補正の内容】
【０００３】
ところで、洗い場からの排水に含まれるシャンプーやリンス等は粘性の高い液体であるため、ヘアキャッチャーで捕捉した毛髪やごみ等の捕捉物に付着しやすいものである。ここで、一般的なヘアキャッチャーは浅底皿状に形成され、その周縁部が排水口の周縁部上に載設されるものであり、毛髪やごみ等が捕捉される多数の通水孔を形成した部分は通水時を除いて水に接触しない位置に配置される。しかし、このようなヘアキャッチャーにおいて前述のように毛髪やごみ等にシャンプーやリンス等の粘性の高い液体が付着してこれが乾燥した場合には毛髪やゴミ等がヘアキャッチャーにこびり付いてしまい、ヘアキャッチャーの手入れが煩わしくなり、また、この粘着性の高い汚れにより排水のスムーズな流れを妨げる恐れがある。
【手続補正４】
【補正対象書類名】明細書
【補正対象項目名】０００７
【補正方法】変更
【補正の内容】
【０００７】
また、請求項２は請求項１において、ヘアキャッチャー２０の下部を網状として前記通水部２３を形成すると共に該通水部２３の網目を前記通水孔２２とし、該通水部２３の上部２３ｂの網目を下部２３ａの網目よりも大きくして成ることを特徴とする。このように通水部２３の上部２３ｂの網目を下部２３ａの網目よりも大きくすることで、毛髪等が通水部２３の上部２３ｂに留まらないようにでき、このため通水部２３の上部２３ｂにおいては開口面積の大きな網目により排水能力を確保できる。
【手続補正５】
【補正対象書類名】明細書
【補正対象項目名】０００９
【補正方法】変更
【補正の内容】
【０００９】
また請求項２に係る発明では、請求項１に係る発明の効果に加えて、通水部の上部の網目を下部の網目よりも大きくすることで、毛髪等が通水部の上部に留まらないようにでき、このため通水部の上部においては開口面積の大きな網目により排水能力を確保でき、これにより通水部の網目を小さくした下部に毛髪等が多く溜まった場合に排水能力が著しく低下することを防止できる。
【手続補正６】
【補正対象書類名】明細書
【補正対象項目名】００１４
【補正方法】変更
【補正の内容】
【００１４】
上記排水筒８で構成した排水口２にはヘアキャッチャー２０を配設している。ヘアキャッチャー２０は上方に開口する容器状に形成され、ヘアキャッチャー２０の外周縁部を構成する環状部２１を排水筒８内に収納し、この環状部２１を封水筒９のフランジ部１８上に載置してある。つまり、環状部２１は排水筒８の上側鍔部１０からなる排水口２の周縁部上に前記フランジ部１８を介して載置してある。なお、ヘアキャッチャー２０は単に排水口２の周縁部上に載置するだけであっても良いし、また、例えば環状部２１の外周面と排水筒８の内周面の夫々に係止部及び被係止部を設け、係止部と被係止部を係脱自在に係止したり、また、環状部２１の外周面に形成した雄ねじを排水筒８の内周面に形成した雌ねじにねじ込む等して、ヘアキャッチャー２０を排水口２に対して着脱自在に取り付けても良い。
【手続補正７】
【補正対象書類名】明細書
【補正対象項目名】００１６
【補正方法】変更
【補正の内容】
【００１６】
通水部２３の周壁部分２６は下側に行くに従って小径となるよう絞ってあり、該通水部２３はヘアキャッチャー２０の下部全体を網状とすることで形成され、該通水部２３の網目で前記通水孔２２を構成している。即ち、多数の通水孔２２は通水部２３の底部及び周壁２６の全体に亘って形成されている。また、通水部２３はその上部２３ｂの網目を下部２３ａの網目よりも大きくしてある。
【手続補正８】
【補正対象書類名】明細書
【補正対象項目名】００１９
【補正方法】変更
【補正の内容】
【００１９】
上記排水構造における排水の流れは図２の矢印に示すものとなる。即ち、洗い場の床１を構成する床パン３上の水は凹所４から排水筒８を介して封水筒９内に流入し、次いでヘアキャッチャー２０を通過して封水筒９の下端からトラップ本体７の溜水部１６に流入し、この後、溜水部１６の周壁と封水筒９の間の空間、排出口部１５、排水管１７を経て排出される。そしてこの排水時においては、ヘアキャッチャー２０の上開口から流入した排水は上部から下部へと流れ、下部の多数の通水孔２２を通過して排水がなされるので、このヘアキャッチャー２０にて毛髪を捕捉できる。
【手続補正９】
【補正対象書類名】明細書
【補正対象項目名】００２０
【補正方法】変更
【補正の内容】
【００２０】
ここで、ヘアキャッチャー２０の上部は非開口の非通水部２４としてあるので、非通水部２４の内面には排水に含まれる毛髪やごみ等が引っ掛かり難くなっている。また、ヘアキャッチャー２０に流入した排水は環状部２１の湾曲面２８及び非通水部２４のテーパー面２９に沿って通水部２３へと案内されるので、この点でも毛髪等が非通水部２４に留まり難くなっている。従って、ヘアキャッチャー２０に流れ込んだ排水に含まれる毛髪等は、図２に示すように通水孔２２を形成した通水部２３の内部に溜まりやすくなり、特に通水部２３において網目を小さくした下部２３ａの底面に多く溜まる。そして、このヘアキャッチャー２０の通水部２３は前述したようにその全部がトラップ部１９に溜めた溜め水２５の水面よりも下方に位置して溜め水２５に浸かっているので、通水部２３の下部２３ａに溜まった毛髪等にシャンプーやリンス等の粘性の高い液体が付着し難く、また付着したとしてもこれら粘性の高い液体が乾燥することがなく、よって毛髪やごみ等がヘアキャッチャー２０にこびり付くことを防止できる。また、通水部２３の上部２３ｂは下部２３ａよりも網目が大きいので毛髪等が上部２３ｂに留まり難く、このため通水部２３の上部２３ｂにおいては開口面積の大きな網目（通水孔２２）により排水能力を確保でき、これにより上記のように通水部２３の網目を小さくした下部２３ａに毛髪等が多く溜まった場合に排水能力が著しく低下することを防止できる。なお、上記通水部２３の全体に形成した網目の大きさは通水部２３の上端（上部２３ｂの上端）から下方に行くに従って徐々に小さくなるようにしても良いし、また、通水部２３の下部２３ａにおける網目の大きさを一定の大きさとすると共に上部２３ｂにおける網目の大きさを一定の大きさとし、且つ通水部２３の上部２３ｂの網目を下部２３ａの網目よりも大きくしても良いものとする。